(57)【要約】【課題】沈砂池等から回収された沈砂混合水から沈砂分を多段式にて夾雑物を分離するとともに洗浄し、かつ洗砂をそのまま一時的に貯留できるようにした沈砂池における揚砂洗浄搬送システムを提供すること。【解決手段】複数配設した各区画沈砂池Ｓ１、Ｓ２、Ｓ３にそれぞれ配設し、かつ池底に沈殿する沈砂をスラブ上まで揚砂するようにした複数台のサンドポンプＰ１、Ｐ２、Ｐ３と、スラブ上に配設されて各サンドポンプＰ１、Ｐ２、Ｐ３から集めた揚砂を洗浄及び搬送する機能を持った砂洗浄搬送装置Ａと、さらに高所位置に配設され砂洗浄搬送装置Ａから搬送される砂を洗浄及び貯留するようにした砂洗浄貯留装置Ｂとから構成し、沈砂を多段階にて効率的に洗浄し、夾雑物を分離除去するとともに、一時的に洗砂を貯留できるようにする。【選択図】図１
2005342687.tif 000002
【特許請求の範囲】
【請求項１】
複数配設した各区画沈砂池にそれぞれ配設し、かつ池底に沈殿する沈砂をスラブ上まで揚砂するようにした複数台のサンドポンプと、スラブ上に配設されて各サンドポンプから集めた揚砂を洗浄及び搬送する機能を持った砂洗浄搬送装置と、さらに高所位置に配設され該砂洗浄搬送装置から搬送される砂を洗浄及び貯留するようにした砂洗浄貯留装置とから構成し、沈砂を多段階にて効率的に洗浄し、夾雑物を分離除去するとともに、一時的に洗砂を貯留できるようにしたことを特徴とする沈砂池における揚砂洗浄搬送システム。
【請求項２】
砂洗浄搬送装置を、砂分離洗浄槽の下底部に洗砂の繰り返し洗浄と砂洗浄貯留装置への搬出とを選択的に行えるようにしたスクリューコンベア及びブースターポンプとからなる洗砂搬送手段と、内上部に沈砂を攪拌洗浄するようにした整流筒とを備えて構成したことを特徴とする請求項１記載の沈砂池における揚砂洗浄搬送システム。
【請求項３】
砂洗浄貯留装置を、砂分離洗浄槽の下底部に、砂洗浄搬送装置より供給される１次洗砂の洗浄と、洗浄後の貯留及び外部への排出を選択的に行え、かつ水切り可能としたスクリューコンベア及びブースターポンプとからなる洗砂搬送手段と、内上部に供給された１次洗砂を攪拌洗浄するようにした整流筒とを備えて構成したことを特徴とする請求項１記載の沈砂池における揚砂洗浄搬送システム。
【発明の詳細な説明】
【技術分野】
【０００１】
本発明は、沈砂池における揚砂洗浄搬送システムに関し、特に、複数列に配設した各区画沈砂池の沈砂（或いは汚砂）をそれぞれ小型のサンドポンプにて揚砂し、これを集め、一緒にして大型で洗浄及び搬送機能を持った砂洗浄搬送装置にてさらに高所に配設した、洗浄及び貯留機能を持った砂洗浄貯留装置に搬送し、沈砂の洗浄を多段階にて効率的に、かつ夾雑物の分離除去を行うとともに、その洗砂を一時的に貯留した排出できるようにした沈砂池における揚砂洗浄搬送システムに関するものである。
【背景技術】
【０００２】
従来、下水処理場等において、雨水等を沈砂池に導入して、該雨水に含まれる土砂をあらかじめ沈砂池にて沈殿させて除去し、その上澄水を処理して河川等に放流、或いは他の用途に使用するようにするとともに、沈砂は沈砂池に配設した高揚程のサンドポンプ、ジェットポンプ等を用いて揚砂し、沈砂池外へ排出するようにしている。
【０００３】
ところで、従来による沈砂池における沈砂の排出は、沈砂池内に溜まった砂を沈砂地よりサンドポンプ、ジェットポンプ等を用いて一気にホッパ室まで揚砂するようにしているが、この沈砂は高含水率で、これを直接埋め立て等に用いることができないため、この高含水率の沈砂を直接固液分離装置まで搬送し、該固液分離装置等により所要の含水率まで低下させるようにしている。
【０００４】
このため、この沈砂池内における揚砂、搬送には、特に沈砂池が複数設置される大型の処理場においては、揚程が大きく、多大な動力を必要とするサンドポンプ、ジェットポンプ等の揚砂ポンプの使用に加えてさらに別の大型の搬送手段を要するものとなり、また揚砂搬送に多量の水も使用しているので、これを脱水する装置も必要とし、必然的にそのシステムは複雑なものとなり、かつ大型化し、設備費が高くなるとともに、さらには沈砂中には有機物を含む夾雑物も含まれており、揚砂をそのまま埋め立てなどに用いることができず、他の設備を用いて夾雑物の除去処理を行わねばならないという問題があった。
また、サンドポンプは埋没、閉塞、耐摩耗性に難があり、早くて１〜２年程度の使用で補修の必要が生じるようになり、池内に動力の大きなサンドポンプを入れると補修時の池上への引き上げ（メンテナンス性）、補修にかかるランニングコストが大きくなるという問題があった。
【発明の開示】
【発明が解決しようとする課題】
【０００５】
本発明は、上記従来の沈砂池における揚砂、搬送システムの有する問題点に鑑み、複数の区画沈砂池に沈殿する沈砂或いは汚砂（以下、「沈砂」という。）を、それぞれ小型のサンドポンプにて揚砂し、かつ各サンドポンプからの揚砂を集めて一緒にし、大型の１台の砂洗浄搬送装置にから、さらに高所に配設した砂洗浄貯留装置まで搬送するようにして効率的に沈砂を洗浄し、沈砂に含まれる夾雑物を分離除去し、かつ一時的に排出のための貯留をできるようにした沈砂池における揚砂洗浄搬送システムを提供することを目的とする。
【課題を解決するための手段】
【０００６】
上記目的を達成するため、本発明の沈砂池における揚砂洗浄搬送システムは、複数配設した各区画沈砂池にそれぞれ配設し、かつ池底に沈殿する沈砂をスラブ上まで揚砂するようにした複数台のサンドポンプと、スラブ上に配設されて各サンドポンプから集めた揚砂を洗浄及び搬送する機能を持った砂洗浄搬送装置と、さらに高所位置に配設され該砂洗浄搬送装置から搬送される砂を洗浄及び貯留するようにした砂洗浄貯留装置とから構成し、沈砂を多段階にて効率的に洗浄し、夾雑物を分離除去するとともに、一時的に洗砂を貯留できるようにしたことを特徴とする。
【０００７】
この場合において、砂洗浄搬送装置を、砂分離洗浄槽の下底部に洗砂の繰り返し洗浄と砂洗浄貯留装置への搬出とを選択的に行えるようにしたスクリューコンベア及びブースターポンプとからなる洗砂搬送手段と、内上部に沈砂を攪拌洗浄するようにした整流筒とを備えて構成することができる。
【０００８】
また、この場合において、砂洗浄貯留装置を、砂分離洗浄槽の下底部に、砂洗浄搬送装置より供給される１次洗砂の洗浄と、洗浄後の貯留及び外部への排出を選択的に行え、かつ水切り可能としたスクリューコンベア及びブースターポンプとからなる洗砂搬送手段と、内上部に供給された１次洗砂を攪拌洗浄するようにした整流筒とを備えて構成することができる。
【発明の効果】
【０００９】
本発明の沈砂池における揚砂洗浄搬送システムによれば、複数配設した各区画沈砂池にそれぞれ配設し、かつ池底に沈殿する沈砂をスラブ上まで揚砂するようにした複数台のサンドポンプと、スラブ上に配設されて各サンドポンプから集めた揚砂を洗浄及び搬送する機能を持った砂洗浄搬送装置と、さらに高所位置に配設され該砂洗浄搬送装置から搬送される砂を洗浄及び貯留するようにした砂洗浄貯留装置とから構成し、沈砂を多段階にて効率的に洗浄し、夾雑物を分離除去するとともに、一時的に洗砂を貯留できるようにしているから、各区画沈砂池にサンドポンプを使用することにより動力が小さく補修も安価にでき、メンテナンス性も向上し、さらに揚砂をスラブ上と高所の２カ所に配設された砂洗浄搬送装置及び砂洗浄貯留装置の２段階の多段高度洗浄が可能となり、洗浄と夾雑物の分離とがより確実に行え、さらに埋没、閉塞、摩耗に強いブースターポンプを用いているから、メンテナンス頻度が少なくなり、イニシャル、ランニングコスト及び設備総動力の低減を図ることができる。
【００１０】
また、砂分離洗浄槽の下底部に洗砂の繰り返し洗浄と砂洗浄貯留装置への搬出とを選択的に行えるようにしたスクリューコンベア及びブースターポンプとからなる洗砂搬送手段と、内上部に沈砂を攪拌洗浄するようにした整流筒とを備えて砂洗浄搬送装置を構成することにより、揚砂の汚れに応じて洗浄を選択的に容易に繰り返して行えるので、洗砂と夾雑物の分離除去が簡易に行え、さらにブースターポンプを使用することによりメンテナンス性も向上させることができる。
【００１１】
また、砂分離洗浄槽の下底部に、砂洗浄搬送装置より供給される１次洗砂の洗浄と、洗浄後の貯留及び外部への排出を選択的に行え、かつ水切り可能としたスクリューコンベア及びブースターポンプとからなる洗砂搬送手段と、内上部に供給された１次洗砂を攪拌洗浄するようにした整流筒とを備えて砂洗浄貯留装置を構成することにより、１次洗浄された洗砂をさらに繰り返して洗浄することができるので、洗砂と夾雑物の分離除去がより確実に行え、また洗砂の水切り後に排出できるので洗砂の埋め立てなどの後処理も容易に行え、ブースターポンプを使用することによりメンテナンス性も向上させることができる。
【発明を実施するための最良の形態】
【００１２】
以下、本発明の沈砂池における揚砂洗浄搬送システムの実施の形態を、図面に基づいて説明する。
【実施例１】
【００１３】
図１〜図６に、本発明の沈砂池における揚砂洗浄搬送システムの一実施例を示す。
この沈砂池における揚砂洗浄搬送システムは、下水処理場などに配設された沈砂池Ｓ、特に限定されるものではないが、例えば、図示のように、並列配置された３列の各区画沈砂池Ｓ１、Ｓ２、Ｓ３に、それぞれ小型で比較的低揚程のサンドポンプ（揚砂ポンプ）Ｐ１、Ｐ２、Ｐ３を備え、この各サンドポンプＰ１、Ｐ２、Ｐ３からの揚砂を分岐集砂管８１、８２、８３を経て集砂管８に集め、該集砂管８を介してスラブ上に配設された大容量で１台の洗浄機能と搬送機能を併せ持った砂洗浄搬送装置Ａへ供給し、この砂洗浄搬送装置Ａからさらに高所位置に配設された洗浄機能、貯留機能を併せ持った砂洗浄貯留装置Ｂまで搬送するようにするとともに、この砂洗浄搬送装置Ａ、砂洗浄貯留装置Ｂの２段にて揚砂の洗浄と夾雑物の分離除去ができるよう構成されている。
【００１４】
この各区画沈砂池Ｓ１、Ｓ２、Ｓ３は、図１及び図２に示すように、池底面にその一部を、例えば、中央部を深くなるよう窪ませて集砂槽Ｓｐを形成し、かつこの集砂槽Ｓｐに向かって低くなるように池底面Ｓｂを傾斜させ、これにより、池底面Ｓｂに沈殿する沈砂が円滑に集砂槽Ｓｐ内に集砂されるようにするとともに、該区画沈砂池Ｓ１、Ｓ２、Ｓ３の一端側に除塵機Ｇをそれぞれ備え、該除塵機Ｇにて汚水中のごみ（主として有機物）を除去するようにして各区画沈砂池Ｓ１、Ｓ２、Ｓ３内にそれぞれ汚水を流入できるようにする。
この場合、池底面に沈積した沈砂を、より確実に集砂槽Ｓｐ内への集砂が行われるよう、池底面Ｓｂに沿って複数の集砂ノズルＮ１、Ｎ２、Ｎ３を配設し、該各集砂ノズルには集砂用給水が行われるようにする。なお、この集砂ノズルＮ１、Ｎ２、Ｎ３への給水は、沈砂池内に形成した給水ピットＰａ内に配設した集砂水ポンプＰｏにて区画沈砂池内の水を吸水し、各集砂ノズルＮ１、Ｎ２、Ｎ３へ配管して行われるが、これは特に限定されるものではなく、受水槽、その他から行うこともできる。
【００１５】
各集砂槽Ｓｐ内へ集砂された沈砂は、各集砂槽Ｓｐ内に配設された各サンドポンプＰ１、Ｐ２、Ｐ３にて水と共にして吸い上げられ分岐集砂管８１、８２、８３から集砂管８を経て砂洗浄搬送装置Ａへ供給される。
この砂洗浄搬送装置Ａは、全サンドポンプＰ１、Ｐ２、Ｐ３から吸い上げられた沈砂を一緒にして洗浄し、沈砂中に含まれる夾雑物を分離除去した後、揚砂管６を介して砂洗浄搬送装置Ａより上方位置に配設された砂洗浄貯留装置Ｂへの搬送を行い易いよう、沈砂池Ｓのスラブ上に配設されるものである。
【００１６】
この砂洗浄搬送装置Ａは、特に限定されるものではないが、例えば、図３及び図４に示すように、流入する沈砂を洗浄し、かつ搬出するようにした砂分離洗浄槽１と、給水タンク７と、該給水タンク７からの洗浄水を給水管４を介しブースターポンプ５を経て、前記砂分離洗浄槽１内へ給水できるように形成した洗浄水供給手段とより構成している。
この砂分離洗浄槽１は、所要量の沈砂を洗浄した後その洗砂を一時的に貯留できる貯留ホッパを兼ねるよう所要の内容積を有し、上端縁には越流槽１１を配設し、この越流槽１１の下部位置に排水管１２を接続して、分離除去された夾雑物を含む越流水を外部へ排水し、さらには給水タンク７へ戻すようにするとともに、砂分離洗浄槽１の下底部に洗砂搬送手段３を、内上部に攪拌洗浄手段２を配設して構成する。
【００１７】
この洗砂搬送手段３としては、砂分離洗浄槽１の下底部に沈積する攪拌によって簡易に洗浄された後の沈砂をさらに洗浄し、かつ搬出するようにしたもので、これは特に限定されるものではないが、例えば、スクリューコンベアを砂分離洗浄槽１の下底部に沿って配設する。
また、攪拌洗浄手段２は、砂分離洗浄槽１内に投入される沈砂と洗浄水との砂混合水を攪拌して沈砂を洗浄するようにしたもので、これは特に限定されるものではないが、例えば、下面が開口した整流筒２ａでもって構成することができる。
そして、整流筒２ａの上部外周面には、揚砂管６及び集砂管８を、それぞれ接線方向から接続し、揚砂混合水或いは沈砂混合水が供給されるようになっている。
なお、整流筒２ａ内には、必要に応じて、モータにて回転するようにした攪拌羽根（図示省略）を備えるようにしたり、整流筒２ａの上部外周面に接線方向から給水管（図示省略）を接続することにより、洗浄作用を高めることができる。
【００１８】
洗砂搬送手段としてのスクリューコンベア３は、図４に示すように、砂分離洗浄槽１の下部全長に亘って配設するとともに、少なくとも砂分離洗浄槽１内底部に沈積する洗浄後の１次洗砂を流入できるように上面を開口するようにした円筒形のケーシング３ａ内にスクリュー３ｂを回転可能に配設し、このスクリュー３ｂをモータを備えた駆動装置Ｍにて、正回転或いは逆回転を選択的に切替可能にして回転駆動するように構成し、さらにはケーシング３ａの先端部には、排水を行うためのドレン管３ｄを備える。
このスクリュー３ｂの回転方向は、通常の運転時、１次洗砂が右端部に配設されたメインのブースターポンプ５側に搬送されるようにして定める。
また、このスクリューコンベア３の端部には、ブースターポンプ５を配設し、このスクリューコンベア３及びブースターポンプ５とを、モータ、変速機などからなる駆動装置Ｍにてそれぞれ最適の速度となるよう、例えば、スクリューコンベア３側を低速に、ブースターポンプ５側を高速に、それぞれ異速で駆動されるようにする。
【００１９】
なお、スクリューコンベア３の両端にそれぞれブースターポンプ５、５Ａを配設する場合、左方側のブースターポンプ５Ａは予備用とし、メインとなる右方のブースターポンプ５が故障した場合等に使用するもので、この予備用ブースターポンプ５Ａを使用する場合、そのスクリューコンベア３の回転方向は逆となり、洗砂を該予備用ブースターポンプ５Ａ側へ搬送されるようにする。
このブースターポンプ５と予備用ブースターポンプ５Ａとは、同じ構成を有するものである。ブースターポンプ５は、ケーシング５ａ内に収納したインペラー５ｂを前記駆動装置Ｍにて回転させることにより駆動するようにし、さらにケーシング５ａには揚砂管６を接続して砂洗浄貯留装置Ｂへ１次洗砂を揚砂供給できるようにする。
【００２０】
なお、この揚砂管６の基端側は、ブースターポンプ５のケーシング５ａに、他端側を分岐し、その一方を開閉弁６ａを介して砂洗浄搬送装置Ａの整流筒２ａ内へ、他方を開閉弁６ｂを介して砂洗浄貯留装置Ｂの攪拌洗浄手段２０（整流筒２０ａ）へ接続する。この開閉弁６ａ、６ｂの開閉操作にてブースターポンプ５（又は予備用ブースターポンプ５Ａ）からの１次洗砂を、砂洗浄搬送装置Ａの整流筒２ａ内へ、或いは砂洗浄貯留装置Ｂの整流筒２０ａへと切り替えて供給搬送できるようにする。
【００２１】
貯留ホッパを兼ねた砂洗浄貯留装置Ｂは、前記砂洗浄搬送装置Ａと同様に形成されるもので、例えば、図３及び図５に示すように、砂分離洗浄槽１０と、給水タンク７０と、該給水タンク７０からの洗浄水を、給水弁４０ａを備えた給水管４０を介してブースターポンプ５０を経て、さらに開閉弁６１ｂを備えた揚砂管６１を介して攪拌洗浄手段２０の整流筒２０ａ内へ揚砂を供給するように形成した揚砂供給手段とより構成するようにしている。
【００２２】
この砂分離洗浄槽１０には越流槽１１を備え、この越流槽１１の下部位置に排水管１２を接続して越流水を給水タンク７０へ戻すようにしている。
また、砂分離洗浄槽１０の下底部には、１次洗砂された揚砂をさらに洗浄して搬出するための洗砂搬送手段としてのスクリューコンベア３０を、また内上部には、投入される１次洗砂混合水を攪拌して１次洗砂をさらに洗浄するようにした攪拌洗浄手段２０を配設する。
【００２３】
このスクリューコンベア３０は、ケーシング３０ａ内でスクリュー３０ｂの回転で１次洗砂がさらに洗浄されるようにし、この完全に洗浄された洗砂が水切りをして吐出されるようその先端側が少し高くなるよう傾斜して砂分離洗浄槽１０の下部に配設するもので、砂分離洗浄槽１０の内底部に沈積する洗砂を流入できるように上面を開口するようにした円筒形のケーシング３０ａ内にスクリュー３０ｂを回転可能に配設し、このスクリュー３０ｂを駆動装置Ｍにて、正回転或いは逆回転を選択的に切替可能に回転駆動するように構成し、さらにはケーシング３０ａの先端部には、洗浄が完了した洗砂を一時貯留して排出するための排出ホッパ３０ｈを備える。
また、この排出ホッパ３０ｈには、ゲート３０ｇを備え、ハンドルの操作による手動式、或いは自動的に該ゲート３０ｇを開閉できるようにし、スクリューコンベア３０の先端部下方位置に侵入可能としたダンプトラックなどの荷台に落下させ、排出できるようにする。
【００２４】
また、ブースターポンプ５０は、ケーシング５０ａ内に収納したインペラー５０ｂを前記駆動装置Ｍにて回転させることにより駆動するようにし、さらにケーシング５０ａには揚砂管６１を接続して整流筒２０ａ内へ洗砂を供給できるようにするとともに、給水管４０を接続して給水タンク７０からの給水を可能とする。
【００２５】
攪拌洗浄手段２０は、特に限定されるものではないが、例えば、下面が開口した整流筒２０ａでもって構成することができる。
そして、整流筒２０ａの上部外周面には、揚砂管６及び揚砂管６１を、それぞれ接線方向から接続し、揚砂混合水が供給され、揚砂を自然に攪拌して洗浄するようにしている。
なお、整流筒２０ａ内には、必要に応じて、モータにて回転するようにした攪拌羽根（図示省略）を備えるようにしたり、整流筒２０ａの上部外周面に接線方向から給水管（図示省略）を接続することにより、洗浄作用を高めることができる。
【００２６】
なお、給水タンク７、７０は、同じ構成と作用とを有するものであるため、その一方の給水タンク７について説明する。
給水タンク７は、所要量の水を貯留できるとともに、設定水位以上にならないよう越流水として排水できるようにし、かつ給水タンク本体７１内に無動力式のストレーナ７２を配設し、これに排水管１２を接続して砂分離洗浄槽１又は砂分離洗浄槽１０からの越流水に含まれる夾雑物（し渣等のごみ）を濾過により除去し、この除去された夾雑物（し渣等のごみ）をコンテナ等Ｋにて排出するようにする。
【００２７】
以下、この実施例の作用を説明する。
沈砂池Ｓの各区画沈砂池Ｓ１、Ｓ２、Ｓ３から沈殿した沈砂を、それぞれサンドポンプＰ１、Ｐ２、Ｐ３にて吸い上げ、この沈砂混合水を分岐集砂管８１、８２、８３を経て集砂管８に集め、該集砂管８を介してスラブ上に配設された大容量で１台の洗浄機能と搬送機能を併せ持った砂洗浄搬送装置Ａの整流筒２ａ内へ接線方向から供給する。
この整流筒２ａ内へ供給される沈砂は、接線方向から供給されるため、該整流筒２ａ内で旋回流となって流下する際、比重差を利用して夾雑物が分離され、かつ洗浄される。この夾雑物を分離し、洗浄された沈砂は砂分離洗浄槽１の内底部に沈積する。
【００２８】
沈砂が所定量の投入されると、スクリューコンベア３を駆動装置Ｍにより正方向に回転すると、槽底に沈積貯留した沈砂が、該スクリューコンベア３によりブースターポンプ５側へ定量ずつ搬送される。このとき、沈砂には整流筒２ａ内で分離除去できなかった夾雑物も少量ではあるが混在しているが、このスクリューコンベア３の正転駆動と同時に、ブースターポンプ５も駆動され、かつ給水タンク７から給水管４を経てブースターポンプ５に給水されているので、搬送されてきた沈砂は開閉弁６ａを開き、開閉弁６ｂを閉じることで給水と混合されて揚砂管６を経て再び整流筒２ａ内へ戻され、再び該整流筒２ａ内で洗浄され、この際、整流筒２ａ内を旋回流下する１回の工程では分離洗浄されなかった残留夾雑物の除去が行われ、沈砂の１次洗浄が行われる。
【００２９】
このように整流筒内での旋回流下による洗浄工程を繰り返すことで沈砂の洗浄、夾雑物の分離除去が行われた後、砂は砂分離洗浄槽１の内底部に沈下堆積する。
この揚砂の１次洗浄を、タイマーにてブースターポンプ５の運転時間を設定することにより行い、この場合タイマー設定を長くすることで洗浄時間も長く設定でき、沈砂の分離洗浄を複数回行うことができる。
【００３０】
この砂洗浄搬送装置Ａでの分離洗浄が終了すると、スクリューコンベア３及びブースターポンプ５を駆動しつつ、揚砂管６の開閉弁６ａを閉じ、開閉弁６ｂを開くことで、ブースターポンプ５からの１次洗浄された洗砂は、揚砂管６を経て上方位置に配置されている洗浄機能、貯留機能を併せ持った砂洗浄貯留装置Ｂの整流筒２０内にへ送られる。
なお、この砂洗浄搬送装置Ａから１次洗浄された洗砂がすべて砂洗浄貯留装置Ｂへ供給されると、この１次洗砂の砂洗浄貯留装置Ｂへ供給を停止するとともに、砂洗浄搬送装置Ａへはサンドポンプから揚砂されてきた次の沈砂を集砂管８から供給するようにする。
【００３１】
この砂洗浄貯留装置Ｂに供給される１次洗砂は、整流筒２０内においても順次旋回流下する際、砂洗浄搬送装置Ａで分離できなかった残留夾雑物を分離しつつ洗浄される。この場合も、１回の洗浄工程では十分洗浄できないなら、ブースターポンプ５０に給水タンク７０から給水弁４０ａを開いて給水管４０を介して給水しつつ、スクリューコンベア３０を逆回転駆動することで、開かれた開閉弁６１ｂより揚砂管６１を経て１次洗砂を再び整流筒２０内にへ送るようにして、洗浄と残留夾雑物の除去とを行い、洗浄分離された洗砂は砂分離洗浄槽１０の内底部に沈積する。
【００３２】
このようにして、洗浄が十分に行われた後、洗砂が槽底部に沈設すると砂分離洗浄槽１０内の排水を行った後、次に開閉弁６１ｂを閉じ、スクリューコンベア３０を正回転駆動することで、十分に洗浄された洗砂は、スクリューコンベア３０のケーシング３０ａ内を排出シュート側に搬送され、該排出シュート３０ｈ内に貯留され、ゲート３０ｇを開くことで外部へ排出される。この場合、砂洗浄貯留装置Ｂが高所位置に配設されているので、ダンプトラック等Ｔによる排出が簡易に行える。
【００３３】
このように、複数ある区画沈砂池内にはスラブ上まで揚砂できる小型のサンドポンプＰ１、Ｐ２、Ｐ３を使用し、スラブ上から排出ホッパまでの揚砂は、埋没及び閉塞に強く、耐摩耗性の良いブースターポンプを使用することで、砂洗浄搬送装置Ａと砂洗浄貯留装置Ｂの２段にて洗浄と夾雑物の分離除去とを行うことができることから、低動力で、高効率の低圧集砂及び揚砂と、分離洗浄が十分に行えるものとなる。
【００３４】
以上、本発明の沈砂池における揚砂洗浄搬送システムについて、実施例に基づいて説明したが、本発明は上記実施例に記載した構成に限定されるものではなく、その趣旨を逸脱しない範囲において適宜その構成を変更することができるものである。
【産業上の利用可能性】
【００３５】
本発明の沈砂池における揚砂洗浄搬送システムは、沈砂池などから回収された汚砂混合水から沈砂分を多段式にて夾雑物を分離するとともに洗浄し、かつ洗砂をそのまま一時的に貯留できるという特性を有していることから、沈砂の夾雑物分離と洗浄の用途に好適に用いることができるほか、例えば、建設骨材等の沈砂再利用設備（リサイクルセンター等）の用途にも用いることができる。
【図面の簡単な説明】
【００３６】
【図１】本発明の沈砂池における揚砂洗浄搬送システムの一実施例を示す正面図である。
【図２】同平面図である。
【図３】砂洗浄部を拡大した説明図で、（Ａ）は洗浄と搬送機能を持つ砂洗浄搬送装置を、（Ｂ）は洗浄と貯留機能を持つ砂洗浄貯留装置をそれぞれ示す。
【図４】砂洗浄搬送装置の拡大断面図である。
【図５】砂洗浄貯留装置の拡大断面図である。
【図６】夾雑物搬出の説明図で、（Ａ）はその平面図、（Ｂ）は正面図である。
【符号の説明】
【００３７】
Ａ    砂洗浄搬送装置
Ｂ    砂洗浄貯留装置
Ｍ    駆動装置
Ｓ    沈砂池
Ｓｐ  集砂槽
Ｓ１、Ｓ２、Ｓ３  区画沈砂池
Ｐ１、Ｐ２、Ｐ３  サンドポンプ
１、１０  砂分離洗浄槽
２    攪拌洗浄手段
２ａ、２０ａ  整流筒
３    洗砂搬送手段（スクリューコンベア）
４、４０  給水管
５、５０  ブースターポンプ
５Ａ  予備用ブースターポンプ
６、６１  揚砂管
７、７０  給水タンク
８    集砂管
１１  越流槽
【図１】
2005342687.tif 000003
【図２】
2005342687.tif 000004
【図３】
2005342687.tif 000005
【図４】
2005342687.tif 000006
【図５】
2005342687.tif 000007
【図６】
2005342687.tif 000008